【手続補正書】
【提出日】平成28年9月28日(2016.9.28)
【手続補正１】
【補正対象書類名】特許請求の範囲
【補正対象項目名】全文
【補正方法】変更
【補正の内容】
【特許請求の範囲】
【請求項１】
電力をワイヤレスに伝達するための装置であって、
磁場を介して電力をワイヤレスに受信するように構成された第１の導電性構造であって、幅よりも大きい長さを有し、それぞれ第１のエリアおよび第２のエリアを囲む第１のループおよび第２のループを備え、前記第１のループが第１の下面を有し、前記第２のループが第２の下面を有し、前記第１の下面と前記第２の下面が実質的に同一平面上にあり、第１の導電性構造が、第１の導電性構造の前記長さに沿った第１の形状線と各々が交差する第１の縁部および第２の縁部を有する、第１の導電性構造と、
前記第１の導電性構造と磁性材料との間に配置され、前記磁場を介して電力をワイヤレスに受信するように構成された、第２の導電性構造であって、第３のエリアを囲む第３のループを備え、幅よりも大きい長さを有し、第２の導電性構造の前記長さが、少なくとも前記第１の導電性構造の前記第１の縁部と前記第２の縁部との間の前記第１の形状線に沿った距離に実質的に等しい、第２の導電性構造と
を備える、装置。
【請求項２】
前記磁性材料、前記第１の導電性構造、および前記第２の導電性構造が、前記第１の形状線に沿って位置合わせされた長さを有する実質的に長方形である、請求項１に記載の装置。
【請求項３】
前記第１の導電性構造および前記第２の導電性構造が、前記磁場を発生させるように構成された第３の導電性構造の上に配置されるように構成され、前記第３の導電性構造が実質的に長方形であり、前記第１の導電性構造および前記第２の導電性構造が前記第３の導電性構造の上に配置されたとき、前記第１の形状線と直交する前記第３の導電性構造の前記長さと交差する第２の形状線を有する、請求項２に記載の装置。
【請求項４】
前記磁性材料、第１の導電性構造、および第２の導電性構造によって一括して画定された第１の長方形が、幅ｃおよび長さｃ＋ｄを有し、ｃ割るｄがｃ＋ｄ割るｃに実質的に等しい、請求項２に記載の装置。
【請求項５】
前記第３の導電性構造によって形成された第２の長方形が、幅ａおよび長さａ＋ｂを有し、ａ割るｂがａ＋ｂ割るａに実質的に等しい、請求項３に記載の装置。
【請求項６】
前記第１および第２の導電性構造が、前記第１および第２の導電性構造の表面エリアをカバーする幾何学的長方形の中心に位置する第１の中心点を一括して画定し、前記第３の導電性構造が、前記第３の導電性構造の前記表面エリアをカバーする幾何学的長方形の中心に位置する第２の中心点を画定し、前記第１の点と前記第２の点との間のオフセット距離によって画定され、そこでの結合量がしきい値を上回る点のセットが、実質的に長方形の領域を画定し、前記結合量が、前記第１の導電性構造と前記第３の導電性構造との間の結合を測定する第１の結合係数、および前記第２の導電性構造と前記第３の導電性構造との間の結合を測定する第２の結合係数から導出された値によって、少なくとも部分的に定義される、請求項２に記載の装置。
【請求項７】
前記第３の導電性構造が、第４のエリアを画定するループを備え、前記実質的に長方形の領域の長さが、前記第４のエリアの長さと前記第３のエリアの幅との間の差分から導出された値を乗じた２分の１のプラスまたはマイナスに実質的に等しい、請求項６に記載の装置。
【請求項８】
前記第３の導電性構造が、第１の側に沿った第１の外縁と、前記第１の側に沿った第１の内縁と、第２の側に沿った第２の外縁と、前記第２の側に沿った第２の内縁とを有し、前記実質的に長方形の領域の幅が、前記第１の外縁と前記第１の内縁との間の第１の中心点と、前記第２の外縁と前記第２の内縁との間の第２の中心点との間の距離を乗じた２分の１のプラスまたはマイナスに実質的に等しい、請求項７に記載の装置。
【請求項９】
前記第１の導電性構造が、
前記第１のエリアおよび前記第２のエリアを囲むように巻き付けられた第１のコイル、または
それぞれ前記第１のエリアおよび前記第２のエリアを囲むように巻き付けられた第２のコイルおよび第３のコイル
のうちの少なくとも１つを備える、請求項１に記載の装置。
【請求項１０】
前記第１および第２の導電性構造に結合され、前記第１および第２の導電性構造を介して受信された前記電力の組合せに少なくとも部分的に基づいて、電気車両に電力供給または充電するように構成された、受信回路をさらに備える、請求項１に記載の装置。
【請求項１１】
前記第１および第２の導電性構造の各々と送信機導電性構造との間の結合量を示す測定値を受信するように構成されたコントローラをさらに備え、前記コントローラが、前記結合量に基づいて前記第１または第２の導電性構造を選択的に非アクティブ化するように構成された、請求項１に記載の装置。
【請求項１２】
前記装置が、前記第１および第２の導電性構造の各々と送信機導電性構造との間の結合量を検出するように構成され、前記結合量に基づいて前記第１および第２の導電性構造内の電流の振幅または位相のうちの少なくとも１つを制御するように構成された、コントローラをさらに備える、請求項１に記載の装置。
【請求項１３】
前記コントローラが、前記電流の前記振幅または前記位相のうちの少なくとも１つを制御して、電磁放射のレベルをしきい値未満に維持するように構成された、請求項１２に記載の装置。
【請求項１４】
電力をワイヤレスに伝達する方法であって、
磁場を介して第１の導電性構造を介して電力をワイヤレスに受信するステップであって、前記第１の導電性構造が幅よりも大きい長さを有し、前記第１の導電性構造が、それぞれ第１のエリアおよび第２のエリアを囲む第１のループおよび第２のループを備え、前記第１のループが第１の下面を有し、前記第２のループが第２の下面を有し、前記第１の下面と前記第２の下面が実質的に同一平面上にあり、前記第１の導電性構造が、前記第１の導電性構造の前記長さに沿った形状線と各々が交差する、第１の縁部および第２の縁部を有する、ステップと、
前記第１の導電性構造と磁性材料との間に配置された第２の導電性構造を介して、電力をワイヤレスに受信するステップであって、前記第２の導電性構造が第３のエリアを囲み、前記第２の導電性構造が幅よりも大きい長さを有し、前記第２の導電性構造の前記長さが、少なくとも前記第１の導電性構造の前記第１の縁部と前記第２の縁部との間の前記形状線に沿った距離に実質的に等しい、ステップと
を含む、方法。
【請求項１５】
電力をワイヤレスに伝達するための装置であって、
負荷に電力供給または充電するのに十分なレベルにある第１の電磁場を介して、電力をワイヤレスに送信または受信するように構成され、第１のエリアを囲む第１のループを備える、第１の導電性構造と、
前記負荷に電力供給または充電するのに十分なレベルにある第２の電磁場を介して、電力をワイヤレスに送信または受信するように構成された、第２の導電性構造であって、前記第１のエリアの内部に配置され、前記第１の導電性構造と実質的に同一平面上にあり、それぞれ第２のエリアおよび第３のエリアを囲む第２のループおよび第３のループを備え、前記第２のループが第２の下面を有し、前記第３のループが第３の下面を有し、前記第２の下面と前記第３の下面が実質的に同一平面上にある、第２の導電性構造と
を備える、装置。
【請求項１６】
電力をワイヤレスに伝達する方法であって、
負荷に電力供給または充電するのに十分なレベルにある第１の電磁場を介して、第１の導電性構造で電力をワイヤレスに送信または受信するステップであって、前記第１の導電性構造が第１のエリアを囲む第１のループを備える、ステップと、
前記負荷に電力供給または充電するのに十分なレベルにある第２の電磁場を介して、第２の導電性構造で電力をワイヤレスに送信または受信するステップであって、前記第２の導電性構造が、前記第１のエリアの内部に配置され、前記第１の導電性構造と実質的に同一平面上にあり、前記第２の導電性構造が、それぞれ第２のエリアおよび第３のエリアを囲む第２のループおよび第３のループを備え、前記第２のループが第２の下面を有し、前記第３のループが第３の下面を有し、前記第２の下面と前記第３の下面が実質的に同一平面上にある、ステップと
を含む、方法。